(57)【要約】【課題】電気機器の着脱を容易に行うことができる情報分電盤を提供する。【解決手段】建物の壁の表側に取り付けられると共に電気機器を収容可能な情報分電盤１である。情報分電盤１は、壁Ｗに取り付けられるベース部２と、ベース部２に揺動自在に取り付けられる第１のプレート部３及び第２のプレート部４と、ベース部２、第１のプレート部３及び第２のプレート部４を覆うカバー部５と、を備える。第１のプレート部３は、電気機器１０を搭載する電気機器搭載部３ｘと、電気機器に接続されるケーブルを挿通させるケーブル挿通部３ｐと、を有し、電気機器搭載部３ｘとケーブル挿通部３ｐとは分離されている。【選択図】図２
2015230977.tif 000002
【特許請求の範囲】
【請求項１】
建物の壁に取り付けられると共に電気機器を収容可能な情報分電盤であって、
前記壁に取り付けられるベース部と、
前記ベース部に揺動自在に取り付けられるプレート部と、
前記ベース部及び前記プレート部を覆うカバー部と、を備え、
前記プレート部は、前記電気機器を搭載する電気機器搭載部と、前記電気機器に接続されるケーブルを挿通させるケーブル挿通部と、を有し、
前記電気機器搭載部と前記ケーブル挿通部とは分離されている、
情報分電盤。
【請求項２】
前記プレート部は、鉛直方向に延びる軸線を中心として前記ベース部に揺動自在に取り付けられる、
請求項１に記載の情報分電盤。
【請求項３】
前記プレート部は、前記ベース部に対して所定角度だけ揺動させたときに前記ベース部から取り外される、
請求項１又は２に記載の情報分電盤。
【請求項４】
前記プレート部における前記電気機器の位置を固定させる紐状の固定部材を更に備え、
前記固定部材は、前記電気機器を前記プレート部に括り付けることにより、前記電気機器の位置を固定させる、
請求項１〜３のいずれか一項に記載の情報分電盤。
【発明の詳細な説明】
【技術分野】
【０００１】
本発明は、電気機器を収容する情報分電盤に関する。
【背景技術】
【０００２】
建物内において通信機器、映像系機器又はエネルギー監視システム等の電気機器を収容するものとして情報分電盤が知られている。情報分電盤としては種々のものが知られており、特許文献１には、建物の壁に形成された凹部の内側に入り込んだ状態で固定された情報分電盤が記載されている。この情報分電盤には、映像系機器、ブースター及びネットワーク機器等の電気機器を組み込むことが可能となっている。この情報分電盤の前面側（壁の表面側）には、情報分電盤の下部で壁に沿って水平方向に延びる軸線を中心として上下に開閉自在となる扉が設けられている。この扉は開放されたときに水平方向に延在するので、開放された扉の上には情報分電盤に入りきらなかったネットワーク機器等を載せることが可能となっている。
【先行技術文献】
【特許文献】
【０００３】
【特許文献１】特開２０００−２７７９３１号公報
【発明の概要】
【発明が解決しようとする課題】
【０００４】
上述した情報分電盤では、壁に形成された凹部の内側でブースター又はネットワーク機器等の複数の電気機器が重なるように配置される。このように複数の電気機器が重なるように配置されると、上記凹部の内側は、各電気機器に接続されるケーブルが電気機器と共に複雑に入り込んだ状態となる可能性がある。よって、上記扉の開閉時にケーブルが引っ張られたり引っ掛かったりすることがある。このようにケーブルが邪魔になりやすいので、情報分電盤に対する各電気機器の搭載又は情報分電盤からの各電気機器の取り外しが面倒になることがある。また、壁に形成された凹部の内側に複数の電気機器を配置する場合、凹部の奥側に位置する電気機器を取り外しにくいという問題もある。
【０００５】
本発明は、このような問題を解決するためになされたものであり、電気機器の着脱を容易に行うことができる情報分電盤を提供することを目的とする。
【課題を解決するための手段】
【０００６】
本発明の一態様に係る情報分電盤は、建物の壁に取り付けられると共に電気機器を収容可能な情報分電盤であって、壁に取り付けられるベース部と、ベース部に揺動自在に取り付けられるプレート部と、ベース部及びプレート部を覆うカバー部と、を備え、プレート部は、電気機器を搭載する電気機器搭載部と、電気機器に接続されるケーブルを挿通させるケーブル挿通部と、を有し、電気機器搭載部とケーブル挿通部とは分離されている。
【発明の効果】
【０００７】
本発明によれば、電気機器の着脱を容易に行うことができる情報分電盤を提供することが可能となる。
【図面の簡単な説明】
【０００８】
【図１】本発明の一形態に係る情報分電盤を示す斜視図である。
【図２】ベース部、第１のプレート部、第２のプレート部及びカバー部を示す斜視図である。
【図３】ベース部、第１のプレート部、第２のプレート部及びカバー部を取り付け順に並べた斜視図である。
【図４】ベース部及びカバー部を示す図である。
【図５】第１のプレート部を示す斜視図である。
【図６】第２のプレート部を示す斜視図である。
【図７】情報分電盤の内部に収容される電気機器の配線の一例を説明する図である。
【発明を実施するための形態】
【０００９】
本発明の一態様に係る情報分電盤は、建物の壁に取り付けられると共に電気機器を収容可能な情報分電盤であって、壁に取り付けられるベース部と、ベース部に揺動自在に取り付けられるプレート部と、ベース部及びプレート部を覆うカバー部と、を備え、プレート部は、電気機器を搭載する電気機器搭載部と、電気機器に接続されるケーブルを挿通させるケーブル挿通部と、を有し、電気機器搭載部とケーブル挿通部とは分離されている。
【００１０】
上記の情報分電盤では、壁に取り付けられるベース部において、当該ベース部に揺動自在に取り付けられるプレート部が設けられており、プレート部には、電気機器を搭載する電気機器搭載部とケーブルを挿通させるケーブル挿通部とが設けられている。このようにケーブルを挿通させるケーブル挿通部が設けられているので、ケーブルを纏めて配置することが可能となり、ケーブルが電気機器と共に複雑に入り込む状態の発生を抑制することができる。また、プレート部において、電気機器搭載部とケーブル挿通部とは分離されている。よって、電気機器と分離させた状態でケーブル挿通部にケーブルを纏めて挿通させることができ、電気機器を搭載する領域とケーブルを配置する領域とを分離させることができるので、電気機器の搭載及び電気機器の取り外しを容易に行うことができる。また、プレート部は、プレート部の奥側に位置するベース部に対して揺動自在となっているので、プレート部及びベース部の両方に電気機器を搭載した場合でも、奥側のベース部に位置する電気機器を取り出しやすくすることができる。
【００１１】
上記の情報分電盤において、プレート部は、鉛直方向に延びる軸線を中心としてベース部に揺動自在に取り付けられてもよい。この場合、プレート部は、ベース部に対して水平方向に揺動自在となる。ここで、仮にプレート部をベース部に対して鉛直方向に揺動自在とした場合には、重力によって意図せずプレート部が開閉してしまうことがあるので、電気機器の搭載及び電気機器の取り外しが面倒となる場合がある。しかしながら、プレート部をベース部に対して水平方向に揺動自在とした場合、重力によって意図せずプレート部が開閉することがないので、例えばベース部に対してプレート部を開いた状態で電気機器の搭載又は取り外しを行うことができる。従って、電気機器の搭載及び電気機器の取り外しを一層容易に行うことができる。
【００１２】
上記の情報分電盤において、プレート部は、ベース部に対して所定角度だけ揺動させたときにベース部から取り外されてもよい。この場合、プレート部をベース部に対して所定角度揺動させるだけで簡単にプレート部の取り外しを行うことができる。
【００１３】
上記の情報分電盤において、プレート部における電気機器の位置を固定させる紐状の固定部材を更に備え、固定部材は、電気機器をプレート部に括り付けることにより、電気機器の位置を固定させてもよい。このように紐状の固定部材をプレート部の孔部に挿通させ、この固定部材によって電気機器をプレート部に括り付けるだけで、プレート部に対する電気機器の取り付けを一層容易に行うことができる。更に、電気機器を固定部材で括り付けるだけで電気機器のプレート部への搭載を行うことができるので、電気機器の形状や大きさの違いにも容易に対応でき、搭載位置の自由度を高めることもできる。
【００１４】
［本発明の実施形態の詳細］
本発明の実施形態に係る情報分電盤の具体例を、以下で図面を参照しつつ説明する。なお、本発明は、これらの例示に限定されるものではなく、特許請求の範囲によって示され、特許請求の範囲と均等の意味及び範囲内での全ての変更が含まれることが意図される。
【００１５】
本実施形態に係る情報分電盤１は、新築住宅等の建物において、例えば家庭用として用いられる分電盤である。図１に示されるように、情報分電盤１は、建物外の電柱又は地下等から建物の壁Ｗの裏側にまで延びる電線と接続される複数の電気機器１０とケーブルＣとを内部に収容可能となっている。ここで、電気機器１０としては、例えば、映像系機器、ブースター、ネットワーク機器又はエネルギー監視システム等が挙げられる。また、ケーブルＣには、同軸ケーブル、ＬＡＮケーブル又は光コード等、電気機器１０に接続可能な全てのケーブルが含まれる。
【００１６】
情報分電盤１は、壁Ｗの表面Ｓに形成された凹部に嵌め込まれた状態で壁Ｗの表面Ｓに固定される。このように情報分電盤１が凹部に嵌め込まれることによって、情報分電盤１の壁Ｗからの突出部分の高さを抑えることができる。なお、以下では「上下左右」の語を用いるが、この「上下左右」は、情報分電盤１を表側（表面Ｓ側）から見た場合の上下左右をいう。また、この「上下左右」は、図示する状態に基づく便宜的なものである。
【００１７】
図１及び図２に示されるように、情報分電盤１は、壁Ｗの上記凹部に嵌め込まれた状態で壁Ｗの表側に固定されるベース部２と、ベース部２の右側で鉛直方向に延びる軸線Ｌ１を中心としてベース部２に揺動自在に取り付けられる第１のプレート部３と、第１のプレート部３の右側で鉛直方向に延びる軸線Ｌ２を中心として第１のプレート部３に揺動自在に取り付けられる第２のプレート部４と、ベース部２と第１及び第２のプレート部３，４とを表側から覆うカバー部５と、を備えている。このように、右側で鉛直方向に延びる軸線Ｌ１，Ｌ２を中心として第１及び第２のプレート部３，４が揺動自在となっているので、第１及び第２のプレート部３，４を右手で簡単に開閉させることが可能となっている。
【００１８】
図３はベース部２と第１及び第２のプレート部３，４とカバー部５とを並べた状態を示し、図４はカバー部５及びベース部２の正面図、ベース部２の平面図及びベース部２の底面図を示している。ベース部２と第１及び第２のプレート部３，４とカバー部５とは、例えば、ポリカーボネート樹脂（ＰＣ）で構成されているので、軽量であり且つ高い難燃性を有している。ベース部２と第１及び第２のプレート部３，４とのそれぞれには、電気機器１０を搭載可能となっている。また、第１及び第２のプレート部３，４には、紐状の固定部材６（図１参照）で電気機器１０を括り付けることによって、電気機器１０を第１及び第２のプレート部３，４に搭載可能となっている。
【００１９】
ベース部２は、表面２ａ及び裏面２ｂを有する矩形状となっており、中央で矩形状に凹む凹部２ｃを備えている。この凹部２ｃには上述した電気機器１０をネジ止め等によって固定させることが可能となっている。凹部２ｃの底面２ｆには機器固定用の取り付け穴２ｖが形成されている。設置する電気機器によって異なる固定用ネジ位置に対応できるようにネジ穴である取り付け穴２ｖは長穴としている。凹部２ｃの裏側は、ベース部２の裏面２ｂより更に裏側に突出しており、この突出した部分が壁Ｗの凹部に嵌め込まれる。凹部２ｃを構成する矩形状の一側部２ｄには、壁Ｗの裏側に延びる電線が通される９個の挿通穴２ｅが形成されている。この一側部２ｄは、ベース部２が壁Ｗに取り付けられたときに凹部２ｃの上側に位置する。また、凹部２ｃの底面２ｆには、ケーブルＣが通される複数の孔部２ｇが形成されている。
【００２０】
ベース部２の表面２ａには、ベース部２を壁Ｗの表面Ｓに固定させるビスを挿通させるための孔部２ｈと、第１のプレート部３を揺動自在に取り付ける取付部２ｊと、第１のプレート部３を引っ掛けるための突出部２ｋと、ベース部２の凹部２ｃから表側に延びるケーブルＣを纏めて載置するケーブル載置部２ｐと、が設けられている。ベース部２の裏面２ｂの上端には、カバー部５の上端を掛け止めるための凹部２ｔが左右一対に設けられており、裏面２ｂの下端には、カバー部５の下端を掛け止めするための凹部２ｕが左右一対に設けられている。
【００２１】
ベース部２の孔部２ｈは、ベース部２の表面２ａ上で横方向に延びる長円状となっている。この孔部２ｈは、表面２ａの四隅に設けられると共に、左上の孔部２ｈと左下の孔部２ｈとの間、右上の孔部２ｈと右下の孔部２ｈとの間、及び左下の孔部２ｈと右下の孔部２ｈとの間、にもそれぞれ１個ずつ設けられている。ベース部２の取付部２ｊは、表面２ａの右側において上下３箇所に並ぶように設けられている。取付部２ｊは、表面２ａから表側に突出する突出部２ｍと、突出部２ｍにおいて上下に貫通する貫通孔２ｎと、を備えている。また、ベース部２の突出部２ｋは、表面２ａの左側において上下２箇所に並ぶように設けられている。この突出部２ｋの上側には、第１のプレート部３を引っ掛けるための凹部２ｑが設けられている。
【００２２】
ベース部２のケーブル載置部２ｐは、ベース部２の表面２ａの右側下部に設けられており、表面２ａで内側から湾曲するように切り欠かれた切り欠き部２ｒと、切り欠き部２ｒの下端で表側に突出する突出部２ｓと、を有する。ベース部２の凹部２ｃの底面２ｆから表側に延びるケーブルＣは、左下からケーブル載置部２ｐに入り込み、ケーブル載置部２ｐの突出部２ｓの上面に沿うように配置される。
【００２３】
図５に示されるように、第１のプレート部３は、中央上部で奥側に凹む凹部３ａを備えている。凹部３ａの底面３ｂには、格子状に突出するリブ３ｃと、リブ３ｃが設けられていない箇所で矩形状に形成される複数の孔部３ｄと、が設けられている。孔部３ｄは、凹部３ａの底面３ｂにおいて縦横に規則正しく配置されている。孔部３ｄは、第１のプレート部３の軽量化を図ると共に、第１のプレート部３に表裏に空気を流し込んで電気機器１０の放熱を促進させるため、そして紐状の固定部材６を挿通させるために設けられる。
【００２４】
図１に示されるように、紐状の固定部材６は、その両端に面ファスナーを備えており、電気機器１０を固定部材６で括り付けた状態で固定部材６の両端を面ファスナーで止めることにより、簡単に第１のプレート部３に電気機器１０を着脱させることが可能となっている。また、固定部材６は伸縮自在となっているため、固定部材６によって簡単且つ確実に電気機器１０を第１のプレート部３に括り付けることができる。
【００２５】
図５に示されるように、第１のプレート部３の凹部３ａを構成する一側面３ｅは、電気機器１０を載置させるための載置面として利用可能となっており、この一側面３ｅより上側の部位が電気機器搭載部３ｘに相当する。また、凹部３ａの軸線Ｌ１側の板状部３ｆの板厚は、軸線Ｌ１の反対側の板状部３ｇの板厚よりも厚くなっており、軸線Ｌ１側の強度向上が実現されている。
【００２６】
第１のプレート部３の軸線Ｌ１側には、第１のプレート部３をベース部２に取り付けると共に第２のプレート部４が第１のプレート部３に取り付けられる取付部３ｈが設けられている。取付部３ｈは、ベース部２の取付部２ｊに対応する位置で上下３箇所に並ぶように配置されている。取付部３ｈは、ベース部２の貫通孔２ｎに上から挿入される突起部３ｊと、突起部３ｊの表側で上下に貫通する貫通孔３ｋと、を備えている。第１のプレート部３は、各突起部３ｊが貫通孔２ｎに挿入されることにより、ベース部２に対して水平方向に開閉自在となる。また、取付部２ｊには、貫通孔２ｎに連通する切り欠きが設けられているので、突起部３ｊを貫通孔２ｎ内で所定角度回転させると簡単にベース部２から第１のプレート部３を外せるようになっている。
【００２７】
第１のプレート部３における軸線Ｌ１の反対側には、ベース部２の突出部２ｋに引っ掛かると共に第２のプレート部４が引っ掛けられる引っ掛け部３ｍが上下２箇所に並ぶように設けられている。引っ掛け部３ｍは、その奥側で下方に突出する突出部３ｎと、第２のプレート部４が引っ掛けられる切り欠き３ｔと、を備えている。第１のプレート部３における軸線Ｌ１の反対側は、各突出部３ｎが突出部２ｋの凹部２ｑに載せられることにより、ベース部２に引っ掛けられる。また、第１のプレート部３を僅かに持ち上げて凹部２ｑから突出部３ｎを外すことにより、第１のプレート部３をベース部２から開放させることが可能となる。
【００２８】
第１のプレート部３の凹部３ａを構成する一側面３ｅの表側且つ下側には、電気機器１０に接続されるケーブルＣを挿通させるケーブル挿通部３ｐが左右に２個並んで設けられている。ケーブル挿通部３ｐは、凹部３ａを構成する一側面３ｅの表側に設けられて水平方向に延在する上板部３ｑと、上板部３ｑの表側で上板部３ｑから下方に延在する前板部３ｒと、前板部３ｒの下端で水平方向に延在する下板部３ｓと、を備えている。
【００２９】
上記のように構成されるケーブル挿通部３ｐによって、ケーブルＣを水平方向に挿通させるケーブル挿通空間Ｋ１が画成され、このケーブル挿通空間Ｋ１は、上述した電気機器搭載部３ｘから隔離されている。このケーブル挿通空間Ｋ１において、ベース部２から表側に延びるケーブルＣは、軸線Ｌ１側からケーブル挿通空間Ｋ１に入り込み、軸線Ｌ１側から軸線Ｌ１の反対側に延ばされて、軸線Ｌ１の反対側で上方に折り返されたケーブルＣの端部が電気機器搭載部３ｘに位置する電気機器１０に接続される。このように第１のプレート部３に入り込んだケーブルＣは軸線Ｌ１側から軸線Ｌ１の反対側に引き延ばされるので、第１のプレート部３の開閉時にケーブルＣが邪魔になりにくくなっている。
【００３０】
図６に示されるように、第２のプレート部４は、表面４ａと裏面４ｂとを有する矩形板状となっており、裏面４ｂの上側には、格子状に突出するリブ４ｃが設けられている。第２のプレート部４の上側におけるリブ４ｃが設けられていない箇所には、矩形状に形成される複数の孔部４ｄが縦横に規則正しく配置されている。孔部４ｄは、第２のプレート部４の軽量化を図ると共に、第２のプレート部４に表裏に空気を流し込んで電気機器１０の放熱を促進させるため、そして紐状の固定部材６を挿通させるために設けられる。第１のプレート部３の場合と同様、固定部材６によって電気機器１０を第２のプレート部４に括り付けた状態で固定部材６の両端を面ファスナーで止めることにより、簡単に第２のプレート部４に電気機器１０を搭載させることが可能となる。
【００３１】
第２のプレート部４の表面４ａにおける孔部４ｄが設けられる部位は、電気機器１０を搭載させる電気機器搭載部４ｘとなっている。この電気機器搭載部４ｘは、第２のプレート部４の表面４ａにおいて左右一対に設けられており、左側の電気機器搭載部４ｘの下端に電気機器１０を載置させるための板状部４ｅが設けられており、右側の電気機器搭載部４ｘの下端にも同様の板状部４ｆが設けられている。また、電気機器搭載部４ｘにおいて、第２のプレート部４の板厚は軸線Ｌ２側に向かうに従って厚くなっている。よって、電気機器１０を傾けて配置することが可能となり、電気機器１０の側面に設けられたランプ（例えばルータの配線結合部のランプ）等を視認しやすくすることが可能となる。
【００３２】
第２のプレート部４の軸線Ｌ２側には、第２のプレート部４を第１のプレート部３に取り付ける取付部４ｇが設けられている。取付部４ｇは、第１のプレート部３の取付部３ｈに対応する位置で上下３箇所に並ぶように配置されている。取付部４ｇは、第２のプレート部４の軸線Ｌ２側で横方向に突出する突出部４ｈと、突出部４ｈから軸線Ｌ２に沿って下方に突出する突起部４ｊと、を備えている。第２のプレート部４は、各突起部４ｊが第１のプレート部３の貫通孔３ｋに上から挿入されることにより、第１のプレート部３に対して水平方向に開閉自在となる。また、取付部３ｈには、貫通孔３ｋに連通する切り欠きが設けられているので、突起部４ｊを貫通孔３ｋ内で所定角度回転させると簡単に第１のプレート部３から第２のプレート部４を外せるようになっている。
【００３３】
第２のプレート部４における軸線Ｌ２の反対側には、第１のプレート部３の切り欠き３ｔに引っ掛けられる引っ掛け部４ｋが切り欠き３ｔに対応して上下２箇所に並ぶように設けられている。引っ掛け部４ｋは、軸線Ｌ２の反対側で横方向に突出する板状部４ｍと、板状部４ｍの奥側で下方に突出する突出部４ｎと、を備えている。第２のプレート部４における軸線Ｌ２の反対側は、各突出部４ｎが切り欠き３ｔに載置されることにより、第１のプレート部３に引っ掛けられる。また、第２のプレート部４を僅かに持ち上げて切り欠き３ｔから突出部４ｎを外すことにより、第２のプレート部４を第１のプレート部３から開放させることが可能となる。
【００３４】
第２のプレート部４の板状部４ｅ，４ｆの下部には、それぞれ、電気機器１０に接続されるケーブルＣを挿通させるケーブル挿通部４ｐ，４ｑが左右に並んで設けられている。ケーブル挿通部４ｐ，４ｑのそれぞれは、板状部４ｅ，４ｆと、板状部４ｅ，４ｆの表側で下方に延在する前板部４ｒと、前板部４ｒの下端で水平方向に延在する下板部４ｓと、を備えている。
【００３５】
このように構成されるケーブル挿通部４ｐによって、ケーブルＣを水平方向に挿通させるケーブル挿通空間Ｋ２が画成され、このケーブル挿通空間Ｋ２は、上述した電気機器搭載部４ｘから隔離されている。このケーブル挿通空間Ｋ２においても、第１のプレート部３のケーブル挿通空間Ｋ１と同様、ケーブルＣが軸線Ｌ２側からケーブル挿通空間Ｋ２に入り込み、軸線Ｌ２側から軸線Ｌ２の反対側に延ばされて、軸線Ｌ２の反対側で上方に折り返されたケーブルＣの端部が電気機器搭載部４ｘに位置する電気機器１０に接続される。このように第２のプレート部４に入り込んだケーブルＣも軸線Ｌ２側から軸線Ｌ２の反対側に引き延ばされるので、第２のプレート部４の開閉時にケーブルＣが邪魔になりにくくなる。
【００３６】
図１に示されるように、第１及び第２のプレート部３，４の裏側において、第１のプレート部３のケーブル挿通部３ｐと第２のプレート部４のケーブル挿通部４ｐ，４ｑとは上下に並んでいる。第１のプレート部３のケーブル挿通部３ｐは、第２のプレート部４のケーブル挿通部４ｐ，４ｑの上方に位置している。また、第１のプレート部３のケーブル挿通部３ｐの裏側には、上下に延びる複数の板状部３ｙが設けられている。この板状部３ｙによって、第１のプレート部３からのケーブルＣの脱落が阻止されると共にケーブルＣの一部を隠すことが可能となる。第２のプレート部４のケーブル挿通部４ｐ，４ｑの裏側にも、上記同様、複数の板状部４ｙが設けられている。
【００３７】
図３及び図４に示されるように、カバー部５は、矩形箱状となっており、第１及び第２のプレート部３，４をベース部２に閉じた状態でベース部２に取り付けることが可能となっている。カバー部５は、ベース部２と第１及び第２のプレート部３，４とを隠すため、並びに、ベース部２と第１及び第２のプレート部３，４とにゴミ等が入り込むのを防止するために設けられる。
【００３８】
カバー部５の内側の上端には、ベース部２の凹部２ｔに係合される爪部が左右一対に設けられており、カバー部５の下端には、ベース部２の凹部２ｕに係合されるレバー付き爪部５ｂが左右一対に設けられている。カバー部５の上端の爪部を上からベース部２の凹部２ｔに引っ掛けて係合させた状態でカバー部５のレバー付き爪部５ｂを下から押し込んでベース部２の凹部２ｕに嵌め込むことにより、カバー部５はベース部２に取り付けられる。
【００３９】
カバー部５の矩形状の一側部５ｃと、一側部５ｃの反対側に位置する他側部５ｄと、には、複数のスリット５ｅが設けられている。このスリット５ｅは、一側部５ｃ及び他側部５ｄにおいて幅方向に延在している。カバー部５がベース部２に取り付けられたときに、一側部５ｃは上側に位置し、他側部５ｄは下側に位置する。よって、カバー部５の上側及び下側にスリット５ｅが位置することとなる。従って、カバー部５の内側において、高温の空気が上昇し低温の空気が下方から入り込む対流を発生させることができるので、情報分電盤１の内部における電気機器１０の放熱を促進させることができる。
【００４０】
以上のように構成される情報分電盤１に電気機器１０を搭載させる方法について図３及び図７を参照しながら説明する。情報分電盤１では、例えば、交換頻度が比較的低い電気機器１０がベース部２に搭載され、交換頻度が中程度の電気機器１０が第１のプレート部３に搭載され、交換頻度が比較的高い電気機器１０が第２のプレート部４に搭載される。ここで、情報分電盤１に収容される電気機器１０として、ブースター１１と、分配器１２と、光ローゼット１３と、ＨＧＷ（Home GateWay）１４と、ＨＥＭＳ（Home Energy ManagementSystem）１５と、ＨＵＢ１６とを例示して説明する。
【００４１】
まず、ベース部２を壁Ｗにビス等によって固定させた状態で、図７（ａ）に示されるように、ベース部２にブースター１１と分配器１２とを搭載する。ここで、ブースター１１及び分配器１２は、ネジ止め等によってベース部２の凹部２ｃに固定される。また、ブースター１１に壁Ｗの奥側から延びる同軸ケーブルＣ１を接続し、ブースター１１から延びる同軸ケーブルＣ２を分配器１２に接続させる。なお、分配器１２からは、建物の各部屋に接続される複数の同軸ケーブルＣ３が延びている。
【００４２】
また、図７（ｂ）に示されるように、ベース部２の凹部２ｃに光ローゼット１３を搭載し、第１のプレート部３にＨＧＷ１４を搭載すると共に第２のプレート部４にＨＵＢ１６を搭載する。ここで、光ローゼット１３は、凹部２ｃ側面に設けた差込部２ｗに挿入して固定される。また、第１のプレート部３をベース部２に揺動自在に取り付けると共に、第２のプレート部４を第１のプレート部３に揺動自在に取り付けておく。
【００４３】
この状態で、固定部材６によってＨＧＷ１４を第１のプレート部３の電気機器搭載部３ｘに括り付けると共に、固定部材６によってＨＵＢ１６を第２のプレート部４の電気機器搭載部４ｘに括り付ける。そして、壁Ｗの奥側から延びるドロップケーブル（光ファイバ）Ｃ４を光ローゼット１３に接続し、光ローゼット１３から延びる光コードＣ５を軸線Ｌ１側から第１のプレート部３のケーブル挿通部３ｐに挿通させて軸線Ｌ１の反対側に光コードＣ５を延ばし、上方に折り返した光コードＣ５をＨＧＷ１４に接続させる。
【００４４】
ＨＧＷ１４から延びるＬＡＮケーブルＣ６は、軸線Ｌ２側から第２のプレート部４のケーブル挿通部４ｐ，４ｑに挿通させて軸線Ｌ２の反対側にＬＡＮケーブルＣ６を延ばし、上方で折り返したＬＡＮケーブルＣ６をＨＵＢ１６に接続させる。なお、ＨＵＢ１６からは、建物の各部屋に接続される複数のＬＡＮケーブルＣ７が延びている。
【００４５】
図７（ｃ）に示されるように、第１のプレート部３にＨＧＷ１４及びＨＥＭＳ１５を取り付け、第２のプレート部４にＨＵＢ１６を取り付ける場合について説明する。この場合には、上記同様、ＨＧＷ１４及びＨＥＭＳ１５を固定部材６によって第１のプレート部３の電気機器搭載部３ｘに括り付けると共に、ＨＵＢ１６を固定部材６によって第２のプレート部４の電気機器搭載部４ｘに括り付ける。
【００４６】
そして、電気機器搭載部３ｘにおいて、ＨＧＷ１４とＨＥＭＳ１５とをＬＡＮケーブルＣ８によって接続させる。また、ＨＧＷ１４から延びるＬＡＮケーブルＣ９は、上記同様、軸線Ｌ２側から第２のプレート部４のケーブル挿通部４ｐ，４ｑに挿通させて軸線Ｌ２の反対側にＬＡＮケーブルＣ９を延ばし、上方で折り返したＬＡＮケーブルＣ９をＨＵＢ１６に接続させる。
【００４７】
以上のようにブースター１１と、分配器１２と、光ローゼット１３と、ＨＧＷ１４と、ＨＥＭＳ１５と、ＨＵＢ１６とを情報分電盤１にコンパクトに収容させることが可能である。ただし、情報分電盤１に収容させる電気機器１０としては、上記に限られず、ケーブルＣが接続される電気機器１０であれば他の電気機器１０であっても情報分電盤１に収容させることが可能である。
【００４８】
以上、本実施形態に係る情報分電盤１では、壁Ｗに取り付けられるベース部２において、ベース部２に揺動自在に取り付けられる第１のプレート部３が設けられている。第１のプレート部３には、電気機器１０を搭載する電気機器搭載部３ｘとケーブルＣを挿通させるケーブル挿通部３ｐとが設けられている。よって、ケーブル挿通部３ｐにケーブルＣを纏めて配置することが可能となるので、ケーブルＣが電気機器１０と共に複雑に入り込む状態の発生を抑制することができる。
【００４９】
また、第１のプレート部３において、電気機器搭載部３ｘとケーブル挿通部３ｐとは分離されている。よって、電気機器１０と分離させた状態でケーブルＣをケーブル挿通部３ｐに纏めて挿通させることができ、電気機器１０を搭載する領域とケーブルＣを配置する領域とを分離させることができる。従って、第１のプレート部３に対する電気機器１０の搭載及び第１のプレート部３からの電気機器１０の取り外しを容易に行うことができる。また、第１のプレート部３は、第１のプレート部３の奥側に位置するベース部２に対して揺動自在となっている。従って、第１のプレート部３及びベース部２の両方に電気機器１０を搭載した場合でも、奥側のベース部２に位置する電気機器１０を取り出しやすくすることができる。
【００５０】
また、情報分電盤１において、第１のプレート部３は、鉛直方向に延びる軸線Ｌ１を中心としてベース部２に揺動自在に取り付けられており、第１のプレート部３は、ベース部２に対して水平方向に揺動自在となっている。このように、第１のプレート部３をベース部２に対して水平方向に揺動自在とすることによって、重力等の影響による第１のプレート部３の意図しない開閉を抑制することができる。よって、ベース部２から第１のプレート部３を開いた状態において、簡単にベース部２及び第１のプレート部３への電気機器１０の搭載又は取り外しを行うことができる。従って、電気機器１０の搭載及び電気機器１０の取り外しを一層容易に行うことができる。
【００５１】
また、第１のプレート部３は、ベース部２に対して所定角度だけ揺動させたときにベース部２から取り外されるようになっている。従って、第１のプレート部３をベース部２に対して所定角度揺動させるだけで簡単に第１のプレート部３を取り外すことができる。
【００５２】
また、第１のプレート部３における電気機器１０の位置を固定させる紐状の固定部材６を備えており、固定部材６は、第１のプレート部３に形成された孔部３ｄに挿通された状態で電気機器１０を第１のプレート部３に括り付けることにより、電気機器１０の位置を固定させる。このように紐状の固定部材６を第１のプレート部３の孔部３ｄに挿通させ固定部材６によって電気機器１０を括り付けることにより、第１のプレート部３に対する電気機器１０の着脱を一層容易に行うことができる。更に、固定部材６によって電気機器１０を括り付けるだけで簡単に電気機器１０の搭載を行うことができるので、第１のプレート部３における電気機器１０の搭載位置の自由度を高めることができる。以上のような作用効果は、第２のプレート部４からも同様に得られる。
【００５３】
以上、本発明の実施形態について説明したが、本発明は上記実施形態に限られるものではなく、各請求項に記載した要旨を変更しない範囲で変形し、又は他のものに適用したものであってもよい。すなわち、情報分電盤１を構成する各部品の構成や形状は上記の要旨を変更しない範囲で適宜変更可能である。
【００５４】
例えば、情報分電盤１において、ベース部２と第１及び第２のプレート部３，４とカバー部５とは、ポリカーボネート樹脂（ＰＣ）で構成されている。よって、強度を確保しつつ軽量、安価とすることができる。もちろん別の材料で構成されていても構わない。
【００５５】
また、上記実施形態では、突出部３ｎが突出部２ｋの凹部２ｑに載せられることにより第１のプレート部３がベース部２に引っ掛けられ、突出部４ｎが切り欠き３ｔに載置されることにより第２のプレート部４が第１のプレート部３に引っ掛けられた。しかし、第１のプレート部３をベース部２に引っ掛ける構成と、第２のプレート部４を第１のプレート部３に引っ掛ける構成と、は適宜変更可能である。例えば、磁石によって、第１のプレート部３をベース部２に止めると共に、第２のプレート部４を第１のプレート部３に止めるようにしてもよい。
【００５６】
また、上記実施形態では、第１のプレート部３においてケーブル挿通部３ｐが電気機器搭載部３ｘの下方に設けられていたが、ケーブル挿通部が電気機器搭載部の上方に設けられていてもよい。第２のプレート部４についても同様である。
【００５７】
また、上記実施形態では、第１のプレート部３をベース部２に取り付けて第２のプレート部４を第１のプレート部３に取り付けた後に、電気機器１０を第１及び第２のプレート部３，４に括り付けたが、予め電気機器１０を第１及び第２のプレート部３，４に括り付けておき、その後、第１及び第２のプレート部３，４の取り付けを行ってもよい。
【００５８】
また、上記実施形態では、情報分電盤１が第１のプレート部３及び第２のプレート部４を備えていたが、情報分電盤に設けられるプレート部の数は、１枚又は３枚以上であってもよい。
【符号の説明】
【００５９】
１…情報分電盤、２…ベース部、２ａ…表面、２ｂ…裏面、２ｃ…凹部、２ｄ…一側部、２ｅ…挿通穴、２ｆ…底面、２ｇ，２ｈ…孔部、２ｊ…取付部、２ｋ，２ｍ…突出部、２ｎ…貫通孔、２ｐ…ケーブル載置部、２ｑ…凹部、２ｒ…切り欠き部、２ｓ…突出部、２ｔ，２ｕ…凹部、２ｖ…取り付け穴、２ｗ…差込部、３…第１のプレート部（プレート部）、３ａ…凹部、３ｂ…底面、３ｃ…リブ、３ｄ…孔部、３ｅ…一側面、３ｆ，３ｇ…板状部、３ｈ…取付部、３ｊ…突起部、３ｋ…貫通孔、３ｍ…引っ掛け部、３ｎ…突出部、３ｐ…ケーブル挿通部、３ｑ…上板部、３ｒ…前板部、３ｓ…下板部、３ｘ…電気機器搭載部、３ｙ…板状部、４…第２のプレート部（プレート部）、４ａ…表面、４ｂ…裏面、４ｃ…リブ、４ｄ…孔部、４ｅ，４ｆ…板状部、４ｇ…取付部、４ｈ…突出部、４ｊ…突起部、４ｋ…引っ掛け部、４ｍ…板状部、４ｎ…突出部、４ｐ，４ｑ…ケーブル挿通部、４ｒ…前板部、４ｓ…下板部、４ｘ…電気機器搭載部、４ｙ…板状部、５…カバー部、５ｂ…レバー付き爪部、５ｃ…一側部、５ｄ…他側部、５ｅ…スリット、６…固定部材、１０…電気機器、１１…ブースター（電気機器）、１２…分配器（電気機器）、１３…光ローゼット（電気機器）、１４…ＨＧＷ（電気機器）、１５…ＨＥＭＳ（電気機器）、１６…ＨＵＢ（電気機器）、Ｃ…ケーブル、Ｃ１，Ｃ２，Ｃ３…同軸ケーブル、Ｃ４…ドロップケーブル（ケーブル）、Ｃ５…光コード（ケーブル）、Ｃ６，Ｃ７，Ｃ８，Ｃ９…ＬＡＮケーブル、Ｋ１，Ｋ２…ケーブル挿通空間、Ｌ１，Ｌ２…軸線、Ｓ…表面、Ｗ…壁。
【図１】
2015230977.tif 000003
【図２】
2015230977.tif 000004
【図３】
2015230977.tif 000005
【図４】
2015230977.tif 000006
【図５】
2015230977.tif 000007
【図６】
2015230977.tif 000008
【図７】
2015230977.tif 000009